(57)【要約】【課題】顧客の種類に応じて、商品の価格を変えて表示する。【解決手段】商品を購入する購入者および購入者側と商品のメーカ側の間に介在するディーラーが使用するコンピュータ端末５〜１０と、コンピュータ端末５〜１０からのアクセスに基づいて、コンピュータ端末５から１０に対して商品の情報を送信するサーバ２とを含む商品情報提供システムであって、サーバ２は、購入者の種類に応じた認証データの一部又は全部と商品の価格データとを関連づけて、複数の認証データの一部又は全部と複数の商品の価格データとを記憶する第１記憶手段６０と、コンピュータ端末５〜１０から認証データを受け付けると、第１記憶手段６０から、その認証データに応じた価格データを読み出す価格データ読み出し手段５３と、その読み出された価格データを、認証データを発信してきたコンピュータ端末５から１０に送信する価格データ送信手段５５とを備える。【選択図】図５
2008140226.tif 000002
【特許請求の範囲】
【請求項１】
商品を購入する購入者および購入者側と商品のメーカ側の間に介在するディーラーが使用するコンピュータ端末と、
上記コンピュータ端末からのアクセスに基づいて、上記コンピュータ端末に対して上記商品の情報を送信するサーバと、
を含む商品情報提供システムであって、
上記サーバは、
上記購入者の種類に応じた認証データの一部又は全部と上記商品の価格データとを関連づけて、複数の上記認証データの一部又は全部と複数の上記商品の価格データとを記憶する第１記憶手段と、
上記コンピュータ端末から上記認証データを受け付けると、上記第１記憶手段から、その認証データに応じた上記価格データを読み出す価格データ読み出し手段と、
その読み出された上記価格データを、上記認証データを発信してきた上記コンピュータ端末に送信する価格データ送信手段と、
を備えることを特徴とする商品情報提供システム。
【請求項２】
前記認証データと前記購入者を特定する特定データとを関連づけて、それらデータを記憶する第２記憶手段と、
前記コンピュータ端末から上記特定データを受け付けると、上記第２記憶手段から上記特定データと関連づけて前記認証データを読み出す第１認証データ読み出し手段と、
その読み出された前記認証データを前記コンピュータ端末に向けて送信する第１認証データ送信手段と、
を、さらに備えることを特徴とする請求項１に記載の商品情報提供システム。
【請求項３】
前記第２記憶手段、第１認証データ読み出し手段および前記第１認証データ送信手段の内、少なくとも前記第２記憶手段は、前記サーバ以外のサーバであって商品情報提供システム内にある第２サーバに備えられていることを特徴とする請求項２に記載の商品情報提供システム。
【請求項４】
前記購入者が属する団体を認証するための団体認証データと前記認証データとを関連づけて、それらデータを記憶する第３記憶手段と、
前記コンピュータ端末から、前記購入者を特定する特定データと前記団体認証データとを受け付けると、上記第３記憶手段から、上記団体認証データと関連づけて前記認証データを読み出す第２認証データ読み出し手段と、
その読み出された前記認証データを前記コンピュータ端末に向けて送信する第２認証データ送信手段と、
を、さらに備えることを特徴とする請求項１に記載の商品情報提供システム。
【請求項５】
前記第３記憶手段、前記第２認証データ読み出し手段および前記第２認証データ送信手段の内、少なくとも前記第３記憶手段は、前記サーバ以外のサーバであって、商品情報提供システム内にある第２サーバに備えられていることを特徴とする請求項４に記載の商品情報提供システム。
【請求項６】
商品を購入する購入者および購入者側と商品のメーカ側の間に介在するディーラーが使用するコンピュータ端末からのアクセスに基づいて、上記コンピュータ端末に対して上記商品の情報を送信するサーバであって、
上記購入者の種類に応じた認証データの一部又は全部と上記商品の価格データとを関連づけて、複数の上記認証データの一部又は全部と複数の上記商品の価格データとを記憶する第１記憶手段と、
上記コンピュータ端末から上記認証データを受け付けると、上記第１記憶手段から、その認証データに応じた上記価格データを読み出す価格データ読み出し手段と、
その読み出された上記価格データを、上記認証データを発信してきた上記コンピュータ端末に送信する価格データ送信手段と、
を備えることを特徴とするサーバ。
【請求項７】
前記認証データと前記購入者を特定する特定データとを関連づけて、それらデータを記憶する第２記憶手段と、
前記コンピュータ端末から上記特定データを受け付けると、上記第２記憶手段から上記特定データと関連づけて前記認証データを読み出す第１認証データ読み出し手段と、
その読み出された前記認証データを前記コンピュータ端末に向けて送信する第１認証データ送信手段と、
を、さらに備えることを特徴とする請求項６に記載のサーバ。
【請求項８】
前記購入者が属する団体を認証するための団体認証データと前記認証データとを関連づけて、それらデータを記憶する第３記憶手段と、
前記コンピュータ端末から、前記購入者を特定する特定データと前記団体認証データとを受け付けると、上記第３記憶手段から、上記団体認証データと関連づけて前記認証データを読み出す第２認証データ読み出し手段と、
その読み出された前記認証データを前記コンピュータ端末に向けて送信する第２認証データ送信手段と、
を、さらに備えることを特徴とする請求項６に記載のサーバ。
【請求項９】
商品を購入する購入者および購入者側と商品のメーカ側の間に介在するディーラーが使用するコンピュータ端末からのアクセスに基づいて、上記コンピュータ端末に対して上記商品の情報を送信するサーバにインストールされて実行可能なコンピュータ・プログラムであって、
上記サーバに、
上記購入者の種類に応じた認証データの一部又は全部と上記商品の価格データとを関連づけて、複数の上記認証データの一部又は全部と複数の上記商品の価格データとを記憶する第１記憶手段、
上記コンピュータ端末から上記認証データを受け付けると、上記第１記憶手段から、その認証データに応じた上記価格データを読み出す価格データ読み出し手段、
その読み出された上記価格データを、上記認証データを発信してきた上記コンピュータ端末に送信する価格データ送信手段、
の各手段の機能を実行させることを特徴とするコンピュータ・プログラム。
【請求項１０】
前記サーバに、さらに、
前記認証データと前記購入者を特定する特定データとを関連づけて、それらデータを記憶する第２記憶手段、
前記コンピュータ端末から上記特定データを受け付けると、上記第２記憶手段から上記特定データと関連づけて前記認証データを読み出す第１認証データ読み出し手段、
その読み出された前記認証データを前記コンピュータ端末に向けて送信する第１認証データ送信手段、
の各手段の機能を実行させることを特徴とする請求項９に記載のコンピュータ・プログラム。
【請求項１１】
前記サーバに、さらに、
前記購入者が属する団体を認証するための団体認証データと前記認証データとを関連づけて、それらデータを記憶する第３記憶手段、
前記コンピュータ端末から、前記購入者を特定する特定データと前記団体認証データとを受け付けると、上記第３記憶手段から、上記団体認証データと関連づけて前記認証データを読み出す第２認証データ読み出し手段、
その読み出された前記認証データを前記コンピュータ端末に向けて送信する第２認証データ送信手段、
の各手段の機能を実行させることを特徴とする請求項９に記載のコンピュータ・プログラム。
【発明の詳細な説明】
【技術分野】
【０００１】
本発明は、通信回線を通じて商品情報を提供可能な商品情報提供システム、当該システムの一部を構成するサーバ、および当該サーバにインストールして商品情報の提供を実行可能とするコンピュータ・プログラムに関する。
【背景技術】
【０００２】
近年、都心、都心周辺あるいは地方の中規模都市では、大型量販店の乱立が激しく、従業員１０名以下の小店舗の数が徐々に減少していく傾向にある。家電市場を例にとると、２００６年時点で８兆円市場の約６０％は、売上上位１０社の大型量販店で占められている。かかる大型量販店は、お互いに家電製品の値段をチェックしており、他店の値段より少しでも安い値段で、顧客に家電製品を提供するようにし、顧客獲得競争を繰り広げている。
【０００３】
一方、店舗数に着目すると、売上上位１０社の大型量販店の数は、日本全国の家電販売店舗数の約５％にしか過ぎず、全店舗数の約９５％は、売上の４０％を占める小店舗である。家電製品を販売している小店舗は、都心若しくはその周辺よりもむしろ地方に存在し、減少傾向にあるとは言え、急激に減少しているわけではない。大型量販店が激しい顧客獲得競争を繰り広げる中、小店舗も、それなりに大型量販店にはできないサービスを提供することによって、顧客を掴んで離さないというのが実状である。
【０００４】
商品メーカから大型量販店あるいは小店舗（これらを、総称して、「ディーラー」という。）を見た場合、大型量販店に商品を卸して販売してもらうというのは、大量の商品を売ることができる点でメリットはあるが、大型量販店に主導権を握られ、商品の価格を抑えられるというデメリットがある。したがって、大型量販店を通じて商品を一般消費者に販売するという流通ルートは、商品メーカにとっては、必ずしも良いわけではない。
【０００５】
ところで、近年、インターネットに代表される通信網の発達により、通信回線を介した商取引が盛んに行われている。例えば、上記の大型量販店は、それぞれ、独自にウェブサイトを持っており、そのウェブサイト上に商品情報を載せ、そのウェブサイトを見に来た顧客の購買意欲を喚起している。顧客は、実際に大型量販店に行って商品を購入することもできるが、そのウェブサイト上で商取引上の決済を行い、自宅に商品を配送してもらうようにすることもできる。
【０００６】
このように、通信網の発達は、商取引の形態の一部を変えるまでになってきている。このため、メーカは、ディーラーを経由せずに直接、一般消費者に商品を販売するということも可能である。しかし、かかる直販は、商品メーカにとって大きな負担を強いることになり、かつ直販により低価格で商品を販売すると、ディーラーに対して所定のマージンを支払う必要も出てくる。したがって、商品メーカが通信回線を介して顧客から注文を受けた場合、顧客に商品を直送しても、販売形態は、ディーラーを介して行うという形態を維持することが多い。このような方法を通信回線を通じて行った発明は、例えば、特許文献１に開示されている。
【０００７】
【特許文献１】特開２００２−２２２３６６号公報（特許請求の範囲等）
【発明の開示】
【発明が解決しようとする課題】
【０００８】
ところで、商品メーカにとっての顧客は、１種類ではなく、複数種類存在する。顧客には、商品メーカとのつながりのない一般消費者、一般消費者と商品メーカとの間を仲介するディーラー、商品メーカの従業員、商品メーカと同じグループに属する企業の従業員、商品メーカの株主などが含まれる。本来、顧客の種類によって、商品の販売価格を異なるようにする方が、商品メーカおよび当該顧客にとって好ましい。例えば、商品メーカの従業員などは、他の顧客よりも優遇し、低価格で商品を購入できるようにした方が良い。
【０００９】
しかし、上述の特許文献１に開示される技術の場合、取引店側に製造メーカの製品情報を提供するだけであり、顧客毎に、価格情報を変える仕組みはない。
【００１０】
本発明は、このような問題に鑑みてなされたものであり、顧客の種類に応じて、商品の価格を変えて表示することを目的とする。
【課題を解決するための手段】
【００１１】
上記目的を達成するために、本発明は、商品を購入する購入者および購入者側と商品のメーカ側の間に介在するディーラーが使用するコンピュータ端末と、そのコンピュータ端末からのアクセスに基づいて、そのコンピュータ端末に対して商品の情報を送信するサーバとを含む商品情報提供システムであって、そのサーバは、購入者の種類に応じた認証データの一部又は全部と商品の価格データとを関連づけて、複数の認証データの一部又は全部と複数の商品の価格データとを記憶する第１記憶手段と、コンピュータ端末から認証データを受け付けると、第１記憶手段から、その認証データに応じた価格データを読み出す価格データ読み出し手段と、その読み出された価格データを、認証データを発信してきたコンピュータ端末に送信する価格データ送信手段とを備える商品情報提供システムとしている。
【００１２】
また、別の本発明は、先の発明において、認証データと購入者を特定する特定データとを関連づけて、それらデータを記憶する第２記憶手段と、コンピュータ端末から特定データを受け付けると、第２記憶手段から特定データと関連づけて認証データを読み出す第１認証データ読み出し手段と、その読み出された認証データをコンピュータ端末に向けて送信する第１認証データ送信手段とを、さらに備える商品情報提供システムとしている。
【００１３】
また、別の本発明は、先の発明において、第２記憶手段、第１認証データ読み出し手段および第１認証データ送信手段の内、少なくとも第２記憶手段がサーバ以外のサーバであって商品情報提供システム内にある第２サーバに備えられている商品情報提供システムとしている。
【００１４】
また、別の本発明は、先の発明において、購入者が属する団体を認証するための団体認証データと認証データとを関連づけて、それらデータを記憶する第３記憶手段と、コンピュータ端末から、購入者を特定する特定データと団体認証データとを受け付けると、第３記憶手段から、団体認証データと関連づけて認証データを読み出す第２認証データ読み出し手段と、その読み出された認証データをコンピュータ端末に向けて送信する第２認証データ送信手段とを、さらに備える商品情報提供システムとしている。
【００１５】
また、別の本発明は、先の発明において、第３記憶手段、第２認証データ読み出し手段および第２認証データ送信手段の内、少なくとも第３記憶手段がサーバ以外のサーバであって、商品情報提供システム内にある第２サーバに備えられている商品情報提供システムとしている。
【００１６】
また、本発明は、商品を購入する購入者および購入者側と商品のメーカ側の間に介在するディーラーが使用するコンピュータ端末からのアクセスに基づいて、そのコンピュータ端末に対して商品の情報を送信するサーバであって、購入者の種類に応じた認証データの一部又は全部と商品の価格データとを関連づけて、複数の認証データの一部又は全部と複数の商品の価格データとを記憶する第１記憶手段と、コンピュータ端末から認証データを受け付けると、第１記憶手段から、その認証データに応じた価格データを読み出す価格データ読み出し手段と、その読み出された価格データを、認証データを発信してきたコンピュータ端末に送信する価格データ送信手段とを備えるサーバとしている。
【００１７】
また、別の本発明は、先の発明において、認証データと購入者を特定する特定データとを関連づけて、それらデータを記憶する第２記憶手段と、コンピュータ端末から特定データを受け付けると、第２記憶手段から特定データと関連づけて認証データを読み出す第１認証データ読み出し手段と、その読み出された認証データをコンピュータ端末に向けて送信する第１認証データ送信手段とを、さらに備えるサーバとしている。
【００１８】
また、別の本発明は、先の発明において、購入者が属する団体を認証するための団体認証データと認証データとを関連づけて、それらデータを記憶する第３記憶手段と、コンピュータ端末から、購入者を特定する特定データと団体認証データとを受け付けると、第３記憶手段から、団体認証データと関連づけて認証データを読み出す第２認証データ読み出し手段と、その読み出された認証データをコンピュータ端末に向けて送信する第２認証データ送信手段とを、さらに備えるサーバとしている。
【００１９】
また、本発明は、商品を購入する購入者および購入者側と商品のメーカ側の間に介在するディーラーが使用するコンピュータ端末からのアクセスに基づいて、そのコンピュータ端末に対して商品の情報を送信するサーバにインストールされて実行可能なコンピュータ・プログラムであって、サーバに、購入者の種類に応じた認証データの一部又は全部と商品の価格データとを関連づけて、複数の認証データの一部又は全部と複数の商品の価格データとを記憶する第１記憶手段、コンピュータ端末から認証データを受け付けると第１記憶手段からその認証データに応じた価格データを読み出す価格データ読み出し手段、およびその読み出された価格データを、認証データを発信してきたコンピュータ端末に送信する価格データ送信手段の各手段の機能を実行させるコンピュータ・プログラムとしている。
【００２０】
また、別の本発明は、先の発明において、サーバに、さらに、認証データと購入者を特定する特定データとを関連づけてそれらデータを記憶する第２記憶手段、コンピュータ端末から特定データを受け付けると、第２記憶手段から特定データと関連づけて認証データを読み出す第１認証データ読み出し手段、およびその読み出された認証データをコンピュータ端末に向けて送信する第１認証データ送信手段の各手段の機能を実行させるコンピュータ・プログラムとしている。
【００２１】
また、別の本発明は、先の発明において、サーバに、さらに、購入者が属する団体を認証するための団体認証データと認証データとを関連づけて、それらデータを記憶する第３記憶手段、コンピュータ端末から、購入者を特定する特定データと団体認証データとを受け付けると、第３記憶手段から、団体認証データと関連づけて認証データを読み出す第２認証データ読み出し手段、およびその読み出された認証データをコンピュータ端末に向けて送信する第２認証データ送信手段の各手段の機能を実行させるコンピュータ・プログラムとしている。
【発明の効果】
【００２２】
本発明によれば、顧客の種類に応じて、商品の価格を変えて表示することができる。
【発明を実施するための最良の形態】
【００２３】
以下、本発明に係る商品情報提供システム、サーバおよびコンピュータ・プログラムの各実施の形態について、図面に基づいて詳細に説明する。なお、サーバおよびコンピュータ・プログラムの各実施の形態は、商品情報提供システムの実施の形態の中で説明する。
【００２４】
本発明は、商品を販売する店舗、一般消費者、同属グループ等に属する企業、本発明の商品情報提供システムを提供する商品メーカ、当該商品メーカの株主などの各種の顧客層に対して、商品情報（商品の価格を含む）を提供するものであり、主に、次のような特徴を有する。
【００２５】
第１の特徴は、商品の大型量販店の店舗数に対して圧倒的に店舗数で勝る小規模の店舗（ディーラーに属する）を法人会員とし、当該法人会員を経由して一般消費者に商品を購入してもらうシステムとしたことである。第２の特徴は、上記法人会員以外に、同属グループ等に属する企業の従業員を職域会員、商品メーカの従業員を社優販会員、商品メーカの株主を株主会員、一般消費者を一般会員と非会員にして、かかる複数の顧客層に対して、各顧客層を認証した上で、各会員毎に独自の商品価格を提示するようにしたことである。第３の特徴は、法人会員に対しては、商品メーカ側と契約を締結した上で、各法人会員に認証データを使用可能にしたことである。第４の特徴は、商品情報を提供するウェブサイトのデータを管理するサーバとは別のサーバに、個人情報の入力・登録用のウェブサイトのデータを管理するようにし、当該個人情報の漏洩を低減するようにしたことである。なお、上記特徴は、本発明の主な特徴に過ぎず、本発明の有する特徴は、上記特徴に限定されない。
【００２６】
（１．商品情報提供システムの全体構成）
まず、本発明の実施の形態に係る商品情報提供システム１の全体構成について説明する。
【００２７】
図１は、商品情報提供システム１の全体構成を示す。
【００２８】
商品情報提供システム１は、商品情報を提供する第１サーバ(サーバ）２と、商品情報の提供を受ける顧客層の内、特定の顧客層の個人情報を登録する第２サーバ（サーバ）３と、通信回線網（以後、その一例として、「インターネット」という。）４と、インターネット４を介して第１サーバ２あるいは第２サーバ３との間でデータの送受信を行うコンピュータ端末５，６，７，８，９，１０とを備えている。
【００２９】
コンピュータ端末５は、一般消費者の内で、本システムの会員となっていない一般非会員が使用するパーソナル・コンピュータ（ＰＣ）である。コンピュータ端末６は、一般消費者の内で、本システムの会員となっている一般会員が使用するＰＣである。コンピュータ端末７は、法人会員が使用するＰＣである。コンピュータ端末８は、職域会員が使用するＰＣである。コンピュータ端末９は、社優販会員が使用するＰＣである。コンピュータ端末１０は、株主会員が使用するＰＣである。
【００３０】
各コンピュータ端末５，６，７，８，９，１０から第１サーバ２内に保存される商品情報提供用ウェブサイトにアクセスした場合、どの顧客層でも製品ページ１１を閲覧できる。当該製品ページ１１は、商品情報提供用ウェブサイトのトップページ、あるいはそのトップページの下層に配置されるページであっても良い。製品ページ１１には、認証データの一つであるユーザＩＤを入力するためのユーザＩＤ入力欄１２、同じく認証データの一つであるパスワードを入力するためのパスワード入力欄１３、１以上の商品画像１９および各商品の価格データ２０ａが表示されている。一般非会員は、ユーザＩＤとパスワードを所有していない会員であるため、各商品画像１９に関する価格データとして、価格データ２０ａしか見ることはできない。
【００３１】
一方、一般消費者の内で本システムの会員として登録を済ませた一般会員は、製品ページ１１を見ることができる上に、自分のユーザＩＤおよびパスワードを、それぞれユーザＩＤ入力欄１２およびパスワード入力欄１３に入力し、それらの認証を受けることにより、一般会員専用ページ１４を見ることができる。一般会員専用ページ１４には、商品画像１９と、当該商品の価格データ２０ａが表示されている。価格データ２０ａは、製品ページ１１に表示される価格データ２０ａと同じ価格データである。ただし、一般会員専用ページ１４に表示される価格データを製品ページ１１に表示される価格データ２０ａと異なるようにしても良い。また、一般会員専用ページ１４に表示される商品画像１９は、製品ページ１１に表示される商品画像１９と完全に同一であっても、一部重複するものであっても、さらには全く別の商品画像であっても良い。
【００３２】
同様に、本システムの会員として登録を済ませた法人会員、職域会員、社優販会員および株主会員は、製品ページ１１を見ることができる上に、自分のユーザＩＤおよびパスワードを、それぞれユーザＩＤ入力欄１２およびパスワード入力欄１３に入力し認証されることにより、それぞれ、法人会員専用ページ１５、職域会員専用ページ１６、社優販会員専用ページ１７および株主会員専用ページ１８を見ることができる。法人会員専用ページ１５、職域会員専用ページ１６、社優販会員専用ページ１７および株主会員専用ページ１８には、商品画像１９の他に、それぞれ、当該商品の価格データ２０ｂ、価格データ２０ｃ、価格データ２０ｄおよび価格データ２０ｅが表示されている。価格データ２０ｂ、価格データ２０ｃ、価格データ２０ｄおよび価格データ２０ｅは、お互いに異なる価格データであると共に、製品ページ１１に表示される価格データ２０ａとも異なる。
【００３３】
このように、各種顧客層は、ユーザとして登録すれば、その登録された会員専用のページを閲覧でき、各会員に固有の価格データ２０ａ，２０ｂ，２０ｃ，２０ｄ，２０ｅを見ることができる。
【００３４】
（２．第１サーバ、第２サーバおよびコンピュータ端末の各ハードウェア構成）
図２は、第１サーバ２のハードウェア構成を模式的に示す図である。
【００３５】
第１サーバ２は、中央演算処理ユニット（Central Processing Unit: CPU）２１と、読み取り専用メモリ（Read Only Memory: ROM）２２と、読み書き可能なメモリ（Random Access Memory: RAM）２３と、ＣＤ−ドライブ（CD-Drive）２４と、バックアップ電源２５と、ハードディスクドライブ（HDD）２６と、インターフェイス（I/F）２７と、上記ユニット２１〜２７を相互に接続する信号線（バス）２８とを備えている。
【００３６】
ＣＰＵ２１は、第１サーバ２の全ての演算処理を制御して行う部分であり、全体を制御する制御装置と命令を処理する演算装置とから成っている。ＣＰＵ２１の制御は、クロック周波数により行われている。ＲＯＭ２２は、電源を切っても記憶が消去されない非揮発性のメモリである。この実施の形態では、ＲＯＭ２２は、広義に解釈され、製造時点でデータを記憶しておくマスクＲＯＭ、使用者が１回だけ書き込み可能なＰＲＯＭ、何回でも書き換え可能なＥＰＲＯＭ（ＵＶ−ＥＰＲＯＭ、ＥＥＰＲＯＭなど）などを含む。ＲＡＭ２３は、電源を切ると記憶が消去される揮発性のメモリであり、メインメモリに用いられるＤＲＡＭ、キャッシュメモリに用いられるＳＲＡＭを含む。
【００３７】
ＣＤ−ドライブ２４は、外部からＣＤ、ＤＶＤ等のストレージデバイスを挿入可能であって、当該ストレージデバイスに記憶されるデータを読み込み、あるいは当該ストレージデバイスが書き込み可能なデバイスであればデータを書き込む機能を有する装置である。本発明の実施の形態に係るコンピュータ・プログラムの一部または全部は、ＣＤ等のストレージデバイスに格納され、ＣＤ−ドライブ２４から第１サーバ２内のＨＤＤ２６にインストール可能である。なお、ＣＤ−ドライブ２４に加え、あるいはその代替としてＦＤＤ等の他の形態のストレージデバイスに格納されたデータを読み込んだり、そこにデータを書き込むドライブを設けても良い。バックアップ電源２５は、商用電源がオフの際に、バックアップ用として電力を回路素子に供給可能な電源である。ＨＤＤ２６は、ハードディスクに記録されたデータを読み込み、かつデータをハードディスクに書き込む装置である。Ｉ／Ｆ２７は、外部とのデータの送受を行う部分であり、場合によってはそのためのデータの変換処理も行う。
【００３８】
図３は、第２サーバ３のハードウェア構成を模式的に示す図である。
【００３９】
第２サーバ３は、第１サーバ２と同様に、ＣＰＵ３１と、ＲＯＭ３２と、ＲＡＭ３３と、ＣＤ−ＤＲＩＶＥ３４と、バックアップ電源３５と、ＨＤＤ３６と、Ｉ／Ｆ３７と、上記ユニット３１〜３７を相互に接続するバス３８とを備えている。
【００４０】
ＣＰＵ３１は、第２サーバ３の全ての演算処理を制御して行う部分であり、全体を制御する制御装置と命令を処理する演算装置とから成っている。ＣＰＵ３１の制御は、クロック周波数により行われている。ＲＯＭ３２は、電源を切っても記憶が消去されない非揮発性のメモリである。この実施の形態では、ＲＯＭ３２は、広義に解釈され、製造時点でデータを記憶しておくマスクＲＯＭ、使用者が１回だけ書き込み可能なＰＲＯＭ、何回でも書き換え可能なＥＰＲＯＭ（ＵＶ−ＥＰＲＯＭ、ＥＥＰＲＯＭなど）などを含む。ＲＡＭ３３は、電源を切ると記憶が消去される揮発性のメモリであり、メインメモリに用いられるＤＲＡＭ、キャッシュメモリに用いられるＳＲＡＭを含む。
【００４１】
ＣＤ−ドライブ３４は、外部からＣＤ、ＤＶＤ等のストレージデバイスを挿入可能であって、当該ストレージデバイスに記憶されるデータを読み込み、あるいは当該ストレージデバイスが書き込み可能なデバイスであればデータを書き込む機能を有する装置である。本発明の実施の形態に係るコンピュータ・プログラムの一部または全部は、ＣＤ等のストレージデバイスに格納され、ＣＤ−ドライブ３４から第２サーバ３内のＨＤＤ３６にインストール可能である。なお、ＣＤ−ドライブ３４に加え、あるいはその代替としてＦＤＤ等の他の形態のストレージデバイスに格納されたデータを読み込んだり、そこにデータを書き込むドライブを設けても良い。バックアップ電源３５は、商用電源がオフの際に、バックアップ用として電力を回路素子に供給可能な電源である。ＨＤＤ３６は、ハードディスクに記録されたデータを読み込み、かつデータをハードディスクに書き込む装置である。Ｉ／Ｆ３７は、外部とのデータの送受を行う部分であり、場合によってはそのためのデータの変換処理も行う。
【００４２】
図４は、コンピュータ端末５，６，７，８，９，１０の各ハードウェア構成を模式的に示す図である。
【００４３】
コンピュータ端末５，６，７，８，９，１０は、ＣＰＵ４１と、ＲＯＭ４２と、ＲＡＭ４３と、ＣＤ−ドライブ４４と、バックアップ電源４５と、ＨＤＤ４６と、Ｉ／Ｆ４７と、上記ユニット４１〜４７を相互に接続するバス４８とを備えている。
【００４４】
ＣＰＵ４１は、コンピュータ端末５，６，７，８，９，１０の全ての演算処理を制御して行う部分であり、全体を制御する制御装置と命令を処理する演算装置とから成っている。ＣＰＵ４１の制御は、クロック周波数により行われている。ＲＯＭ４２は、電源を切っても記憶が消去されない非揮発性のメモリである。この実施の形態では、ＲＯＭ４２は、広義に解釈され、製造時点でデータを記憶しておくマスクＲＯＭ、使用者が１回だけ書き込み可能なＰＲＯＭ、何回でも書き換え可能なＥＰＲＯＭ（ＵＶ−ＥＰＲＯＭ、ＥＥＰＲＯＭなど）などを含む。ＲＡＭ４３は、電源を切ると記憶が消去される揮発性のメモリであり、メインメモリに用いられるＤＲＡＭ、キャッシュメモリに用いられるＳＲＡＭを含む。
【００４５】
ＣＤ−ドライブ４４は、外部からＣＤ、ＤＶＤ等のストレージデバイスを挿入可能であって、当該ストレージデバイスに記憶されるデータを読み込み、あるいは当該ストレージデバイスが書き込み可能なデバイスであればデータを書き込む機能を有する装置である。なお、ＣＤ−ドライブ４４に加え、あるいはその代替としてＦＤＤ等の他の形態のストレージデバイスに格納されたデータを読み込んだり、そこにデータを書き込むドライブを設けても良い。バックアップ電源４５は、商用電源がオフの際に、バックアップ用として電力を回路素子に供給可能な電源である。ＨＤＤ４６は、ハードディスクに記録されたデータを読み込み、かつデータをハードディスクに書き込む装置である。Ｉ／Ｆ４７は、外部とのデータの送受を行う部分であり、場合によってはそのためのデータの変換処理も行う。
【００４６】
（３．第１サーバおよび第２サーバの各機能構成）
図５は、第１サーバ２を機能ブロックにてその構成を示した図である。
【００４７】
第１サーバ２は、データ入出力部５１と、統括制御部５２と、価格データ読み出し部５３と、認証部５４と、データ送信部５５と、表示データ選出部５６と、商品購入処理部５７と、第１記憶部６０と、認証データ記憶部６１と、表示データ記憶部６２とを備えている。
【００４８】
データ入出力部５１は、第１サーバ２の内部とその外部との間でデータの送受信を行う部分であり、商品の価格データを、アクセスしてきたコンピュータ端末６，７，８，９，１０に向けて送信する価格データ送信手段の一部である。データ入出力部５１は、Ｉ／Ｆ２７に相当する。
【００４９】
統括制御部５２は、第１サーバ２の各処理を統括的に制御する部分であり、ＣＰＵ２１に相当する。価格データ読み出し部５３は、コンピュータ端末６，７，８，９，１０から認証データを受け付けると、第１記憶部６０から、その認証データに応じた価格データを読み出す価格データ読み出し手段である。認証部５４は、データ入出力部５１にて受け付けた認証データ（例えば、ユーザＩＤ、パスワード）に基づいて、使用者の認証処理を実行する部分であり、認証の結果、特定のデータ（専用ページのデータ、あるいは認証できなかった旨を伝えるページのデータ）を表示させるためのコマンドを、表示データ選出部５６に送る部分である。
【００５０】
データ送信部５５は、ＣＰＵ２１に相当し、コンピュータ端末５，６，７，８，９，１０に向けて送信するデータをデータ入出力部５１に受け渡す部分であり、価格データ送信手段の一部である。表示データ選出部５６は、ＣＰＵ２１に相当し、価格データ読み出し部５３、認証部５４からのコマンドを受けて、コンピュータ端末６，７，８，９，１０に向けて送る表示データを表示データ記憶部６２から読み出して、読み出された表示データをデータ送信部５５に送る部分である。商品購入処理部５７は、購入者が商品情報提供用ウェブサイト上にて商品を購入する際に、商品購入代金の決済処理、商品配送処理等を行う部分である。
【００５１】
第１記憶部６０は、ＲＡＭ２３またはＨＤＤ２６に相当し、購入者（顧客層）の種類に応じた認証データの一部と商品の価格データとを関連づけて、複数の認証データの一部と複数の商品の価格データとを記憶する第１記憶手段である。なお、第１記憶部６０を、認証データの全部と商品の価格データとを関連づけて、複数の認証データの全部と複数の商品の価格データとを記憶する部分としても良い。認証データ記憶部６１は、ＲＡＭ２３またはＨＤＤ２６に相当し、各顧客層の認証データ（例えば、ユーザＩＤとパスワード）を記憶しておく部分であり、ユーザＩＤとパスワードのように複数の認証データであれば、その組み合わせを記憶しておく部分である。表示データ記憶部６２は、ＲＡＭ２３またはＨＤＤ２６に相当し、コンピュータ端末５，６，７，８，９，１０に向けて送信する表示データを記憶しておく部分である。顧客層に応じて、コンピュータ端末５，６，７，８，９，１０に表示させる表示データが異なるので、表示データ記憶部６２には、顧客層に応じて異なる表示データが記憶されている。
【００５２】
図６は、第２サーバ３を機能ブロックにてその構成を示した図である。
【００５３】
第２サーバ３は、データ入出力部７１と、統括制御部７２と、第１認証データ読み出し部７３と、特定データ受付部７４と、データ送信部７５と、第２認証データ読み出し部７６と、認証部７７と、表示データ選出部７８と、第２記憶部８０と、特定データ記憶部８１と、第３記憶部８２と、団体認証データ記憶部８３と、表示データ記憶部８４とを備えている。
【００５４】
データ入出力部７１は、Ｉ／Ｆ３７に相当し、第２サーバ３の内部とその外部との間でデータの送受信を行う部分であり、アクセスしてきたコンピュータ端末５，６，７，８，９，１０との間でデータの送受信を行う。
【００５５】
統括制御部７２は、第２サーバ３の各処理を統括的に制御する部分であり、ＣＰＵ３１に相当する。第１認証データ読み出し部７３は、ＣＰＵ３１に相当し、コンピュータ端末６，７から購入者を特定する特定データ（個人情報など）を受け付けると、第２記憶部８０からその特定データと関連づけて認証データを読み出す第１認証データ読み出し手段である。
【００５６】
特定データ受付部７４は、ＣＰＵ３１に相当し、コンピュータ端末６，７，８，９，１０から、特定データを受け付ける部分である。データ送信部７５は、ＣＰＵ３１に相当し、第１認証データ読み出し部７３によって読み出された各認証データを、コンピュータ端末６，７に向けて送信する第１認証データ送信手段である。また、データ送信部７５は、第２認証データ読み出し部７６によって読み出された各認証データを、コンピュータ端末８，９，１０に向けて送信する第２認証データ送信手段である。
【００５７】
第２認証データ読み出し部７６は、ＣＰＵ３１に相当し、コンピュータ端末８，９，１０から送信された特定データと団体認証データ（商品メーカ認証データも含まれる）に基づいて、第３記憶部８２から、団体認証データと関連づけられた認証データを読み出す第２認証データ読み出し手段である。認証部７７は、ＣＰＵ３１に相当し、コンピュータ端末８，９，１０から特定データと団体認証データを受け付け、団体認証データ記憶部８３に記憶される団体認証データと合致するか否かを判断し、合致する場合には、これを第２認証データ読み出し部７６に送信し、合致しない場合には、合致しない旨のデータをデータ送信部７５に送信する部分である。表示データ選出部７８は、ＣＰＵ３１に相当し、第１認証データ読み出し部７３、第２認証データ読み出し部７６、認証部７７等の構成部からのコマンドを受けて、コンピュータ端末６，７，８，９，１０に向けて送る表示データを表示データ記憶部８４から読み出して、読み出された表示データをデータ送信部７５に送る部分である。
【００５８】
第２記憶部８０は、ＲＡＭ３３またはＨＤＤ３６に相当し、認証データと特定データとを関連づけて、それらデータを記憶する第２記憶手段である。特定データ記憶部８１は、コンピュータ端末６，７から送信されてきた特定データを記憶しておく部分である。第３記憶部８２は、ＲＡＭ３３またはＨＤＤ３６に相当し、購入者が属する団体を認証するための団体認証データと認証データとを関連づけて、それらデータを記憶する第３記憶手段である。団体認証データ記憶部８３は、ＲＡＭ３３またはＨＤＤ３６に相当し、団体認証データを記憶しておく部分である。表示データ記憶部８４は、ＲＡＭ３３またはＨＤＤ３６に相当し、コンピュータ端末６，７，８，９，１０に向けて送信する表示データを記憶しておく部分である。
【００５９】
（４．各記憶部に格納されるデータベース）
図７は、第１サーバ２内の第１記憶部６０に格納されるデータベース１００の一部を示す図である。なお、以下に説明する各記憶部内には、下記のデータベース以外のデータベースも含まれている。
【００６０】
第１記憶部６０に格納されるデータベース１００は、各顧客層の認証データの一部１０１〜１０６と各商品の価格データ１０８とを関連付けて作製されたものである。一般非会員の場合には、そのユーザＩＤに「ＧＥＮＭ」というデータが含まれている。同様に、一般会員、法人会員、職域会員、社優販会員および株主会員の場合には、各ユーザＩＤに「ＧＥＭ」、「ＢＵＳ」、「ＣＯＭ」、「ＰＲＩ」および「ＳＴＨ」というデータが含まれている。このため、各顧客層からユーザＩＤが送信されると、そのユーザＩＤに含まれる上記３または４文字のアルファベットに基づいて各商品の価格データを決定することが可能である。価格データ読み出し部５３は、こうして第１記憶部６０内のデータベースから、価格データを読み出す。
【００６１】
図８は、第１サーバ２内の認証データ記憶部６１に格納されるデータベース１１０の一部を示す図である。
【００６２】
認証データ記憶部６１に格納されるデータベース１１０は、各顧客層の内で会員から送信されてきた認証データ（この実施の形態では、ユーザＩＤ１１６とパスワード１１７）が、予め登録されているものかどうかを判断するためのものである。データベース１１０には、ユーザＩＤ１１６とパスワード１１７を組み合わせた認証データ１１５が格納されている。なお、パスワード１１７は、予め用意されていても、各顧客が自分で入力し送信してきたものでも良い。
【００６３】
図９は、第２サーバ３内の第２記憶部８０に格納されるデータベース１２０の一部を示す図である。
【００６４】
第２サーバ３内に格納されるデータベース１２０は、各顧客の特定データ（氏名、住所等のように、その顧客を特定するための個人情報）１２２と認証データ１２３とを対応付けたデータ１２１から構成される。第１認証データ読み出し部７３は、各顧客からの特定データ１２２を受け付けると、当該特定データ１２２と認証データ１２３とを対応付けて、第２記憶部８０に書き込む。かかるデータベース１２０を作製しておくと、以後、各顧客から同じ特定データを受け付けた場合には、既に認証データ１２３を送信した旨のデータを返信することができる。また、同じ認証データを複数の顧客に送信しないようにすることもできる。
【００６５】
図１０は、第２サーバ３内の特定データ記憶部８１に格納されるデータベース１３０の一部を示す図である。
【００６６】
第２サーバ３内の特定データ記憶部８１に格納されるデータベース１３０は、各顧客の詳細な特定データ１３１から構成される。この実施の形態では、この特定データ１３１は、前述の特定データ１２２より詳しい情報である。しかし、特定データ１３１と特定データ１２２を同じ情報としても良い。
【００６７】
図１１は、第２サーバ３内の第３記憶部８２に格納されるデータベース１４０の一部を示す図である。
【００６８】
第２サーバ３内の第３記憶部８２に格納されるデータベース１４０は、団体認証データ（団体用のユーザＩＤ、団体用のパスワード）１４２とその団体の従業員に配布する認証データ（ここでは、ユーザＩＤのみ）１４３を対応づけたデータ１４１から構成される。団体には、商品メーカも含まれる。図１１では、認証データ１４３を１つしか表示していないが、団体の従業員の数以上の認証データ１４３が含まれている。ただし、１つの認証データ１４３のみを格納しておき、従業員の登録申請の順に、数字の部分を１つずつ多くしても良い。
【００６９】
図１２は、第２サーバ３内の団体認証データ記憶部８３に格納されるデータベース１５０の一部を示す図である。
【００７０】
団体認証データ記憶部８３に格納されるデータベース１５０は、各顧客層の内で職域会員、社優販会員および株主会員から送信されてきた認証データ（この実施の形態では、団体用のユーザＩＤ１５２と団体用のパスワード１５３）が、予め登録されているものかどうかを判断するためのものである。データベース１５０には、団体用のユーザＩＤ１５２と団体用のパスワード１５３を組み合わせた認証データ１５１が格納されている。なお、パスワード１５３は、予め用意されていても、各会員の管理者等が自分で入力し送信してきたものでも良い。
【００７１】
（５．商品情報提供システムの処理の流れと表示画面の流れ）
図１３〜図１６は、第１サーバ２あるいは第２サーバ３の各処理工程を示すフローチャートである。また、図１７〜図２４は、コンピュータ端末５，６，７，８，９，１０のディスプレイに表示される画面例を示す図である。
【００７２】
５．１  一般非会員の場合
図１７は、誰でもアクセス可能な製品ページ１１の表示例を示す図である。
【００７３】
製品ページ１１には、ユーザＩＤを入力するためのユーザＩＤ入力欄１２、パスワードを入力するためのパスワード入力欄１３、１以上の商品画像１９、各商品の価格データ２０ａが表示されている。製品ページ１１には、その他に、会員登録用バナー５１１、キャンペーン情報５１２、個人情報保護方針記載欄５１３、通販法表示用バナー５１４、質問関連バナー５１５、アドバイス関連バナー５１６が表示されている。会員登録用バナー５１１、通販法表示用バナー５１４、質問関連バナー５１５およびアドバイス関連バナー５１６は、それぞれ、製品ページ１１より下層にある、会員登録用ページ、通販法記載ページ、よくある質問＆質問コーナーのページ、およびアドバイス記載ページにリンクされているバナーである。会員登録用ページには、さらに、一般会員、法人会員、職域会員、社優販会員および株主会員用の登録手続に進むためのより下層のページにリンクされている。
【００７４】
一般非会員は、自分のユーザＩＤとパスワードを持っていないため、製品ページ１１と、通販法表示用バナー５１４、質問関連バナー５１５およびアドバイス関連バナー５１６にリンクされる各ページを見ることができるが、価格データ２０ａ以外の価格データを表示したページを見ることはできない。
【００７５】
５．２  一般会員の場合
一般会員が製品ページ１１の会員登録用バナーをポインティングデバイスによってクリックすると、コンピュータ端末６に、会員登録用ページが表示される。一般会員が、その会員登録用ページにおいて、「一般会員」を選択すると、第２サーバ３に登録されているあるＵＲＬを持つ特定データ入力用ページ５５０がコンピュータ端末６に表示される。特定データ入力用ページ５５０には、氏名入力欄５５１、住所入力欄５５２、性別選択欄５５３，５５４、電話番号入力欄５５５、ファクシミリ番号入力欄５５６、電子メールアドレス入力欄５５７、提出指示ボタン５５８およびキャンセルボタン５５９が表示される。
【００７６】
一般会員の登録を希望する一般消費者が特定データ入力用ページ５５０に所定事項を入力して提出指示ボタン５５８をクリックすると、第２サーバ３は、所定事項を特定データとして、特定データ記憶部８１に記憶する。第２サーバ３の管理者は、当該一般会員希望の一般消費者に対して、電子メールあるいは郵送等により、一般会員用のユーザＩＤおよびパスワードを送ると共に、第１サーバ２の認証データ記憶部６１に記憶する。なお、特定データ入力用ページ５５０に、パスワード入力欄を設け、一般消費者が希望するパスワードの入力を可能とし、ユーザＩＤのみを一般消費者に送るようにしても良い。
【００７７】
図１６は、製品ページ１１上にユーザＩＤとパスワードを入力して、会員専用のページが表示されるまでの処理の流れを示すフローチャートである。
【００７８】
一般会員が、製品ページ１１上のユーザＩＤ入力欄１２およびパスワード入力欄１３に、認証データであるユーザＩＤとパスワードを入力すると、認証部５４は当該認証データを受け付ける（ステップＳ４５１）。続いて、認証部５４は、認証データ記憶部６１にアクセスして、当該認証データが正しいかどうかを判別する（ステップＳ４５２）。
【００７９】
その結果、当該認証データが正しくない場合には、認証部５４からその通知を受けた表示データ選出部５６は、表示データ記憶部６２から、認証データが間違っている旨を示すページデータを読み出して、コンピュータ端末６に向けてそのページデータを送信する（ステップＳ４５３）。
【００８０】
一方、ステップＳ４５２の判別の結果、認証データが正しい場合には、価格データ読み出し部５３は、認証部５４からの通知を受けて、第１記憶部６０からその認証データに合致する価格データ２０ａを選出する（ステップＳ４５４）。また、表示データ選出部５６は、認証データに合致するページデータを表示データ記憶部６２から選出する（ステップＳ４５５）。次に、データ送信部５６は、選出された価格データ２０ａと選出されたページデータを、コンピュータ端末６に向けて送信する（ステップＳ４５６）。
【００８１】
ステップＳ４５６の結果、一般会員のコンピュータ端末６のディスプレイに、図１９に示す一般会員専用ページ１４が表示される。一般会員専用ページ１４には、１以上の商品画像１９と、各商品の価格データ２０ａと、カー取り付け情報記載欄５６１と、会員限定懸賞応募用バナー５６２と、ポイント表示欄５６３と、メールマガジン受付バナー５６４とが表示されている。なお、会員限定懸賞応募用バナー５６２は、より下層にある会員限定懸賞情報を記載したページにリンクされている。ポイント表示欄５６３は、アクセスしてきた一般会員が有するポイントを表示する欄である。ポイントは、例えば、購入金額の５％を一般会員に還元するためのものであり、次回購入時に、ポイント数に応じた割引をするのに利用される。メールマガジン受付バナー５６４は、一般会員のクリック動作によって、所定手続に移行してメールマガジンの配信を可能にするためのバナーである。
【００８２】
商品の価格データ２０ａは、製品ページ１１上の価格データ２０ａと同じ価格を示すものである。このため、一般会員は、一般非会員と同じ価格で商品を購入することになる。
【００８３】
５．３  法人会員の場合
図１３は、法人会員を希望する店舗の店主がコンピュータ端末７を用いて第２サーバ３との間でデータの送受信を行う場合における、第２サーバ３の処理工程を示すフローチャートである。図２０は、商品メーカ側と店舗との間で交わす契約を説明するための図である。図２１は、法人会員が自分のユーザＩＤとパスワードを入力することによってコンピュータ端末７のディスプレイに表示されるページ例を示す図である。
【００８４】
法人会員を希望する店主が製品ページ１１の会員登録用バナー（不図示）をクリックすると、第２サーバ３から、図１８に示すような特定データ入力用ページ５５０のデータがコンピュータ端末７に送信される。店主が所定事項（この場合、店舗データ）を入力し、提出指示ボタン５５８をクリックすると、第２サーバ３は、その店舗データを受け付ける（ステップＳ２０１）。次に、第２サーバ３は、コンピュータ端末７に向けて、契約案内データ５７５を、電子メール等により送信する（ステップＳ２０２）。その契約案内データ５７５には、文字数の多いＵＲＬ５７６が記述されている。店主がコンピュータ端末７から当該ＵＲＬ５７６にアクセスすると、第２サーバ３は、そのコンピュータ端末７に向けて、契約画面データ５８０を送信する。当該契約画面には、契約のテキストデータ５８１、同意ボタン５８２およびキャンセルボタン５８３が表示されている。
【００８５】
店主が同意ボタン５８２若しくはキャンセルボタン５８３をクリックすると、第２サーバ３は、契約に同意したか否かを判別する（ステップＳ２０４）。その結果、店主が同意ボタン５８２をクリックした場合にのみ、契約に同意したものとみなされる。第２サーバ３は、この結果を管理者側に通知する（ステップＳ２０５）。この後、管理者は、店舗データを特定データとして、特定データ記憶部８１に記憶する。また、管理者は、法人会員希望の店主に対して、電子メールあるいは郵送等により、図２０に示すような法人会員用のユーザＩＤ５８６およびパスワード５８７を記述したデータあるいは書面５８５を送る。ユーザＩＤ５８６およびパスワード５８７は、仮に発行されたものであり、製品ページ１１上のユーザＩＤ入力欄１２およびパスワード入力欄１３に、それぞれ、ユーザＩＤ５８６およびパスワード５８７を入力した後、正式のユーザＩＤとパスワードが発行される。パスワードは、法人会員の店主が適宜変更可能である。さらに、管理者は、第１サーバ２の認証データ記憶部６１に、ユーザＩＤ５８６およびパスワード５８７を記憶する。なお、特定データ入力用ページ５５０に、パスワード入力欄を設け、店主が希望するパスワードの入力を可能とし、ユーザＩＤのみを店主に送るようにしても良い。
【００８６】
法人会員の店主が、製品ページ１１上のユーザＩＤ入力欄１２およびパスワード入力欄１３に、認証データであるユーザＩＤとパスワードを入力すると、認証部５４は当該認証データを受け付ける（ステップＳ４５１）。続いて、認証部５４は、認証データ記憶部６１にアクセスして、当該認証データが正しいかどうかを判別する（ステップＳ４５２）。その結果、当該認証データが正しくない場合には、認証部５４からその通知を受けた表示データ選出部５６は、表示データ記憶部６２から、認証データが間違っている旨を示すページデータを読み出して、コンピュータ端末７に向けてそのページデータを送信する（ステップＳ４５３）。
【００８７】
一方、ステップＳ４５２の判別の結果、認証データが正しい場合には、価格データ読み出し部５３は、認証部５４からの通知を受けて、第１記憶部６０からその認証データに合致する価格データ２０ｂを選出する（ステップＳ４５４）。また、表示データ選出部５６は、認証データに合致するページデータを表示データ記憶部６２から選出する（ステップＳ４５５）。次に、データ送信部５６は、選出された価格データ２０ｂと選出されたページデータを、コンピュータ端末７に向けて送信する（ステップＳ４５６）。
【００８８】
ステップＳ４５６の結果、法人会員のコンピュータ端末７のディスプレイに、図２１に示す法人会員専用ページ１５が表示される。法人会員専用ページ１５には、１以上の商品画像１９と、各商品の価格データ２０ｂと、製品セールスポイント記載欄５９１、本体カタログサイトへのリンク用バナー５９２、法人会員利用規約欄５９３、法人会員特典情報欄５９４、サービスメニューリンク用バナー５９５および問い合わせ先記載欄５９６が表示されている。なお、本体カタログサイトへのリンク用バナー５９２およびサービスメニューリンク用バナー５９５は、より下層にあるページにリンクされている。
【００８９】
商品の価格データ２０ｂは、製品ページ１１上の価格データ２０ａと異なる価格を示すものである。このため、法人会員は、一般非会員とは異なる価格で、商品を購入することができる。なお、法人会員の場合には、一定期間（例えば、３カ月）で、パスワードが無効になるようにしている。このため、法人会員は、会員登録手続を、一定期間経過後に再度行う必要がある。具体的には、登録時と同様に仮パスワードを発行後、その仮パスワードを入力して本ウェブサイトにアクセスし、本人所望のパスワードを入力することにより、新たなパスワードを設定する。
【００９０】
５．４  職域会員の場合
図１４は、職域会員を希望する企業従業員がコンピュータ端末８を用いて第２サーバ３との間でデータの送受信を行う場合における、第２サーバ３の処理工程を示すフローチャートである。図２２、図２３および図２４は、コンピュータ端末８のディスプレイに表示される画面例を示す図である。
【００９１】
職域会員を希望する企業従業員が製品ページ１１の会員登録用バナーをクリックすると、第２サーバ３から、図２２に示すような特定データ入力用ページ６１０のデータがコンピュータ端末８に送信される。特定データ入力用ページ６１０には、団体認証データの１つである企業ＩＤ（ユーザＩＤの下位概念）を入力するための企業ＩＤ入力欄６１１、同じく団体認証データの１つであるパスワードを入力するためのパスワード入力欄６１２、進行指示ボタン６１３およびキャンセルボタン６１４が表示されている。
【００９２】
企業従業員が、企業ＩＤおよびパスワードを、それぞれ、企業ＩＤ入力欄６１１およびパスワード入力欄６１２に入力し、進行指示ボタン６１３をクリックすると、第２サーバ３の認証部７７は、その団体認証データを受け付ける（ステップＳ３０１）。続いて、認証部７７は、団体認証データ記憶部８３にアクセスして、受け付けた団体認証データが正しいかどうかを判別する（ステップＳ３０２）。その結果、当該団体認証データが正しくない場合には、認証部７７からその通知を受けた表示データ選出部７８は、表示データ記憶部８４から、団体認証データが間違っている旨を示すページデータを読み出して、コンピュータ端末８に向けてそのページデータを送信する（ステップＳ３０３）。
【００９３】
一方、ステップＳ３０２の判別の結果、団体認証データが正しい場合には、表示データ選出部７８は、認証部７７からの通知を受けて、表示データ記憶部８４からその団体認証データに合致する団体固有のページデータを選出する（ステップＳ３０４）。次に、データ送信部７５は、選出されたページデータを、コンピュータ端末８に向けて送信する（ステップＳ３０５）。
【００９４】
ステップＳ３０５の結果、職域会員を希望する企業従業員が使用するコンピュータ端末８のディスプレイに、図２３に示す特定データ入力用ページ６２０が表示される。特定データ入力用ページ６２０には、氏名入力欄６２１、住所入力欄６２２、性別選択欄６２３，６２４、電話番号入力欄６２５、ファクシミリ番号入力欄６２６、電子メールアドレス入力欄６２７、提出指示ボタン６２８およびキャンセルボタン６２９が表示される。
【００９５】
企業従業員が特定データ入力用ページ６２０に当該企業従業員の特定データを入力して提出指示ボタン６２８をクリックすると、第２サーバ３の特定データ受付部７４は、その特定データを正常に受け付けたかどうかを判別する（ステップＳ３０６）。その結果、特定データに不足がある場合には、ステップＳ３０６の処理に戻る。一方、特定データを不足なく受け付けた場合には、特定データ受付部７４は、その特定データを特定データ記憶部８１に記憶する（ステップＳ３０７）。また、第２認証データ読み出し部７６は、第３記憶部８２にアクセスして、その従業員用の認証データを決定する（ステップＳ３０８）。次に、データ送信部７５は、コンピュータ端末８に向けてその従業員用の認証データを送信する（ステップＳ３０９）。なお、特定データ入力用ページ６２０に、パスワード入力欄を設け、従業員が希望するパスワードの入力を可能とし、ユーザＩＤのみをコンピュータ端末８に向けて送るようにしても良い。
【００９６】
職域会員が製品ページ１１のユーザＩＤ入力欄１２およびパスワード入力欄１３に、それぞれユーザＩＤとパスワードを正しく入力すると、コンピュータ端末８に、図２４に示すような職域会員専用ページ１６が表示される。職域会員専用ページ１６には、１以上の商品画像１９と、各商品の価格データ２０ｃと、職域会員利用規約欄６３１および職域会員特典情報欄６３２が表示されている。
【００９７】
商品の価格データ２０ｃは、製品ページ１１上の価格データ２０ａと異なる価格を示すものである。このため、職域会員は、一般非会員とは異なる価格で、商品を購入することができる。
【００９８】
５．５  社優販会員の場合
図１５は、社優販会員を希望する商品メーカ従業員がコンピュータ端末９を用いて第２サーバ３との間でデータの送受信を行う場合における、第２サーバ３の処理工程を示すフローチャートである。図２２、図２３および図２４は、職域会員と共通する画面例であり、コンピュータ端末９のディスプレイに表示される画面例を示す図である。
【００９９】
社優販会員を希望する商品メーカ従業員が製品ページ１１の会員登録用バナー（不図示）をクリックすると、第２サーバ３から、図２２に示すような特定データ入力用ページ６１０のデータがコンピュータ端末９に送信される。特定データ入力用ページ６１０には、商品メーカ認証データの１つである企業ＩＤ（ユーザＩＤの下位概念）を入力するための企業ＩＤ入力欄６１１、同じく商品メーカ認証データの１つであるパスワードを入力するためのパスワード入力欄６１２、進行指示ボタン６１３およびキャンセルボタン６１４が表示されている。
【０１００】
商品メーカ従業員が、企業ＩＤおよびパスワードを、それぞれ、企業ＩＤ入力欄６１１およびパスワード入力欄６１２に入力し、進行指示ボタン６１３をクリックすると、第２サーバ３の認証部７７は、その商品メーカ認証データを受け付ける（ステップＳ４０１）。続いて、認証部７７は、団体認証データ記憶部８３にアクセスして、受け付けた商品メーカ認証データが正しいかどうかを判別する（ステップＳ４０２）。その結果、当該商品メーカ認証データが正しくない場合には、認証部７７からその通知を受けた表示データ選出部７８は、表示データ記憶部８４から、商品メーカ認証データが間違っている旨を示すページデータを読み出して、コンピュータ端末９に向けてそのページデータを送信する（ステップＳ４０３）。
【０１０１】
一方、ステップＳ４０２の判別の結果、商品メーカ認証データが正しい場合には、表示データ選出部７８は、認証部７７からの通知を受けて、表示データ記憶部８４からその商品メーカ認証データに合致する固有のぺージデータを選出する（ステップＳ４０４）。次に、データ送信部７５は、選出されたページデータを、コンピュータ端末９に向けて送信する（ステップＳ４０５）。
【０１０２】
ステップＳ４０５の結果、社優販会員を希望する商品メーカ従業員が使用するコンピュータ端末９のディスプレイに、図２３に示す特定データ入力用ページ６２０が表示される。特定データ入力用ページ６２０には、氏名入力欄６２１、住所入力欄６２２、性別選択欄６２３，６２４、電話番号入力欄６２５、ファクシミリ番号入力欄６２６、電子メールアドレス入力欄６２７、提出指示ボタン６２８およびキャンセルボタン６２９が表示される。
【０１０３】
商品メーカ従業員が特定データ入力用ページ６２０に当該従業員の特定データを入力して提出指示ボタン６２８をクリックすると、第２サーバ３の特定データ受付部７４は、その特定データを正常に受け付けたかどうかを判別する（ステップＳ４０６）。その結果、特定データに不足がある場合には、ステップＳ４０６の処理に戻る。一方、特定データを不足なく受け付けた場合には、特定データ受付部７４は、その特定データを特定データ記憶部８１に記憶する（ステップＳ４０７）。また、第２認証データ読み出し部７６は、第３記憶部８２にアクセスして、その商品メーカ従業員用の認証データを決定する（ステップＳ４０８）。次に、データ送信部７５は、コンピュータ端末９に向けてその商品メーカ従業員用の認証データを送信する（ステップＳ４０９）。なお、特定データ入力用ページ６２０に、パスワード入力欄を設け、商品メーカ従業員が希望するパスワードの入力を可能とし、ユーザＩＤのみをコンピュータ端末９に向けて送るようにしても良い。
【０１０４】
社優販会員が製品ページ１１のユーザＩＤ入力欄１２およびパスワード入力欄１３に、それぞれユーザＩＤとパスワードを正しく入力すると、コンピュータ端末９に、図２４に示すような社優販会員専用ページ１７が表示される。社優販会員専用ページ１７には、１以上の商品画像１９と、各商品の価格データ２０ｄと、社優販会員利用規約欄６３１および社優販会員特典情報欄６３２が表示されている。
【０１０５】
商品の価格データ２０ｄは、製品ページ１１上の価格データ２０ａと異なる価格を示すものである。このため、社優販会員は、一般非会員とは異なる価格で、商品を購入することができる。
【０１０６】
５．６  株主会員の場合
株主会員は、職域会員あるいは社優販会員を希望する従業員と同様の手順を経て、ユーザＩＤとパスワードを取得し、製品ページ１１から株主会員専用ページ１８を見ることができる。詳しい画面例と第１サーバ２および第２サーバ３の処理工程は、職域会員あるいは社優販会員の場合と共通するので、省略する。株主会員専用ページ１８には、商品画像１９と各商品の価格データ２０ｅが表示されている。商品の価格データ２０ｅは、製品ページ１１上の価格データ２０ａと異なる価格を示すものである。このため、株主会員は、一般非会員とは異なる価格で、商品を購入することができる。なお、株主会員の場合には、登録より一定期間（例えば、３カ月）経過後に、特定データが削除されるようにしている。このため、株主会員は、一定期間で会員登録手続を行う必要がある。
【０１０７】
（６．本実施の形態が奏する作用・効果）
本実施の形態に係る商品情報提供システム１は、商品を購入する一般消費者、法人会員、職域会員、社優販会員、株主会員等が使用するコンピュータ端末５，６，７，８，９，１０からのアクセスに基づいて、そのコンピュータ端末５，６，７，８，９，１０に対して商品の情報を送信する第１サーバ２を含み、その第１サーバ２は、上記購入者の種類に応じた認証データの一部又は全部と商品の価格データとを関連づけて、各コンピュータ端末６，７，８，９，１０から認証データを受け付けると、その認証データに応じた価格データを読み出し、その読み出された価格データを、認証データを発信してきたコンピュータ端末６，７，８，９，１０に向けて送信する。このため、各購入者の種類に応じた商品価格を提示することができる。
【０１０８】
また、本実施の形態に係る商品情報提供システム１は、認証データと購入者を特定する特定データとを関連づけて、それらデータを記憶しておき、各コンピュータ端末６，７，８，９，１０から特定データを受け付けると、その特定データと関連づけて認証データを読み出し、その読み出された認証データを各コンピュータ端末６，７，８，９，１０に向けて送信する第２サーバ３を有している。このため、購入者の特定データを、第１サーバ２とは別のサーバに保存することになる。したがって、購入者の個人情報である特定データの漏洩を低減できる。
【０１０９】
（７．その他の実施の形態）
以上、本発明の好適な実施の形態について説明してきたが、本発明は、上記実施の形態に限定されることなく、以下のような種々変形を施して実施することができる。
【０１１０】
例えば、第２サーバ３の各構成部の一部又は全部を第１サーバ２に設けても良い。また、第２サーバ３内に特定データを保存しておく記憶部のみを設け、購入者による特定データの送信先を第１サーバ２にして、第１サーバ２から第２サーバ３に特定データを転送するようにしても良い。その場合、第１サーバ２は、自己の記憶部から特定データを消去するのが好ましい。
【０１１１】
図５に示す価格データ読み出し部５３の機能と表示データ選出部５６の機能を一つにし、さらには第１記憶部６０内のデータと表示データ記憶部６２内のデータを一つにし、第１サーバ２は、購入者に応じて、価格データの異なるページデータを各購入者のコンピュータ端末５，６，７，８，９，１０に向けて送信するようにしても良い。
【０１１２】
また、全ての会員登録は、第２サーバ３にアクセスして行うようにしているが、第１サーバ２に第２サーバ３内の会員登録に必要な構成部を備え、一部の会員登録のみを第２サーバ３にアクセスして行い、他の会員登録を第１サーバ２にアクセスして行うようにしても良い。さらに、会員登録の一部を、インターネット４を介さない方法にて行うようにしても良い。
【０１１３】
認証データは、ユーザＩＤ、パスワード以外に、あるいはこれらに代えて、指紋データ、眼球に関するデータ等の生体認証データを含んでいても良い。
【産業上の利用可能性】
【０１１４】
本発明は、通信回線を経由した家電製品等の商品販売、商品の情報提供に利用可能である。
【図面の簡単な説明】
【０１１５】
【図１】本発明の実施の形態に係る商品情報提供システムの全体構成を示す。
【図２】図１の商品情報提供システムを構成する第１サーバのハードウェア構成を模式的に示す図である。
【図３】図１の商品情報提供システムを構成する第２サーバのハードウェア構成を模式的に示す図である。
【図４】図１の商品情報提供システムを構成するコンピュータ端末のハードウェア構成を模式的に示す図である。
【図５】図１の商品情報提供システムを構成する第１サーバについて、機能ブロックにてその構成を示した図である。
【図６】図１の商品情報提供システムを構成する第２サーバについて、機能ブロックにてその構成を示した図である。
【図７】図５に示す第１サーバの第１記憶部内のデータベースの一部を示す図である。
【図８】図５に示す第１サーバの認証データ記憶部内のデータベースの一部を示す図である。
【図９】図６に示す第２サーバの第２記憶部内のデータベースの一部を示す図である。
【図１０】図６に示す第２サーバの特定データ記憶部内のデータベースの一部を示す図である。
【図１１】図６に示す第２サーバの第３記憶部内のデータベースの一部を示す図である。
【図１２】図６に示す第２サーバの団体認証データ記憶部内のデータベースの一部を示す図である。
【図１３】ディーラーからのアクセスに基づく第２サーバの各処理工程を示すフローチャートである。
【図１４】企業従業員からのアクセスに基づく第２サーバの各処理工程を示すフローチャートである。
【図１５】商品メーカ従業員からのアクセスに基づく第２サーバの各処理工程を示すフローチャートである。
【図１６】会員からのアクセスに基づく第１サーバの各処理工程を示すフローチャートである。
【図１７】第１サーバが管理するウェブサイト上のページであって、誰でも閲覧可能な製品ページの例を示す図である。
【図１８】第２サーバが管理するページデータであって、会員希望者が特定データを入力するための特定データ入力用ページの例を示す図である。
【図１９】第１サーバが管理するウェブサイト上のページであって、一般会員だけが閲覧可能な製品ページの例を示す図である。
【図２０】商品メーカ側と店舗との間で交わす契約を説明するための図である。
【図２１】第１サーバが管理するウェブサイト上のページであって、法人会員だけが閲覧可能な製品ページの例を示す図である。
【図２２】第２サーバが管理するページデータであって、職域会員、社優販会員または株主会員を希望する者が企業ＩＤ、パスワードを入力するためのページ例を示す図である。
【図２３】第２サーバが管理するページデータであって、職域会員、社優販会員または株主会員を希望する者が特定データを入力するための特定データ入力用ページの例を示す図である。
【図２４】第１サーバが管理するウェブサイト上のページであって、職域会員、社優販会員または株主会員が閲覧可能な製品ページの例を示す図である。
【符号の説明】
【０１１６】
１  商品情報提供システム
２  第１サーバ(サーバ）
３  第２サーバ(サーバ）
５，６，７，８，９，１０  コンピュータ端末
５１  データ入出力部（価格データ送信手段）
５３  価格データ読み出し部（価格データ読み出し手段）
５５  データ送信部（価格データ送信手段）
６０  第１記憶部（第１記憶手段）
７３  第１認証データ読み出し部（第１認証データ読み出し手段）
７５  データ送信部（第１認証データ送信手段、第２認証データ送信手段）
７６  第２認証データ読み出し部（第２認証データ読み出し手段）
８０  第２記憶部（第２記憶手段）
８２  第３記憶部（第３記憶手段）
【図１】
2008140226.tif 000003
【図２】
2008140226.tif 000004
【図３】
2008140226.tif 000005
【図４】
2008140226.tif 000006
【図５】
2008140226.tif 000007
【図６】
2008140226.tif 000008
【図７】
2008140226.tif 000009
【図８】
2008140226.tif 000010
【図９】
2008140226.tif 000011
【図１０】
2008140226.tif 000012
【図１１】
2008140226.tif 000013
【図１２】
2008140226.tif 000014
【図１３】
2008140226.tif 000015
【図１４】
2008140226.tif 000016
【図１５】
2008140226.tif 000017
【図１６】
2008140226.tif 000018
【図１７】
2008140226.tif 000019
【図１８】
2008140226.tif 000020
【図１９】
2008140226.tif 000021
【図２０】
2008140226.tif 000022
【図２１】
2008140226.tif 000023
【図２２】
2008140226.tif 000024
【図２３】
2008140226.tif 000025
【図２４】
2008140226.tif 000026